(57)【要約】本発明は、レセプタクルとプラグとの非嵌合時に接地接続端子と内部接地回路とを電気的に分離させ得る構造の医療機器用コネクタを提供することを目的とし、そのために、本発明の医療機器用コネクタは、通信端子５１と接地端子５２とを有するプラグ５０を嵌合可能な嵌合部６０ａを有するコネクタ６０であって、嵌合部近傍に設けられ電気的に接続された接続対象を接地する接地部６３と、嵌合部に設けられ嵌合部とプラグとが嵌合された時に通信端子と電気的に接続される通信接点端子６１と、嵌合部に設けられ嵌合部とプラグとの嵌合に連動して接地部と接地端子とを電気的に接続させる接地接続端子６５とを備え、プラグとコネクタとを嵌合接続した時には接地端子と接地部とは接地接続端子を介して接続され、プラグとコネクタとの嵌合接続を解除した時には接地端子と接地部とは電気的に分離される。
2016203824.tif 000002
【特許請求の範囲】
【請求項１】
データを通信するための通信端子と、接地されることでデータ通信時のノイズを低減するための接地端子と、を有するプラグコネクタを嵌合可能な嵌合部、を有するコネクタであって、
前記嵌合部の近傍に設けられ、電気的に接続されることで接続対象を接地する接地部と、
前記嵌合部に設けられ、前記嵌合部と前記プラグコネクタとが嵌合された時に前記通信端子と電気的に接続される通信接点端子と、
前記嵌合部に設けられ、前記嵌合部と前記プラグコネクタとの嵌合に連動して前記接地部と前記プラグコネクタ側の前記接地端子とを電気的に接続させる接地接続端子と、
を具備し、
前記プラグコネクタと前記コネクタとを嵌合接続した時には、前記接地端子と前記接地部とは前記接地接続端子を介して接続され、
前記プラグコネクタと前記コネクタとの嵌合接続を解除した時には、前記プラグコネクタ側の前記接地端子と前記コネクタ側の前記接地部とは電気的に分離されることを特徴とする医療機器用コネクタ。
【請求項２】
前記接地接続端子は、前記嵌合部が前記プラグコネクタと嵌合された状態において前記プラグコネクタによる応力により変形することで前記接地部と電気的に接続されることを特徴とする請求項１に記載の医療機器用コネクタ。
【請求項３】
さらに、前記接地接続端子は、前記嵌合部が前記プラグコネクタと嵌合された状態において前記プラグコネクタの先端により押圧されることで変形して前記接地部と電気的に接続されることを特徴とする請求項１に記載の医療機器用コネクタ。
【発明の詳細な説明】
【技術分野】
【０００１】
この発明は、内視鏡等のプラグコネクタを嵌合接続可能とするレセプタクルコネクタを複数具備する医療機器に適用される医療機器用コネクタに関するものである。
【背景技術】
【０００２】
従来、細長状に形成された挿入部を有して構成される内視鏡は、例えば医療分野や工業用分野等において広く利用されている。このうち、医療分野において用いられる医療用内視鏡は、細長い挿入部を被検体となる体腔内に挿入して体腔内の臓器を観察したり、必要に応じて内視鏡に具備される処置具挿通チャンネル内に挿入した処置具を用いて各種の処置を施すことができるように構成されている。また、工業分野において用いられる工業用内視鏡は、細長い挿入部を被検体、例えばジェットエンジンや工場配管等の内部に挿入することによって、被検体内の状態、例えば傷及び腐蝕等の観察や検査を行うことができるように構成されている。【０００３】
この種の内視鏡は、例えばビデオプロセッサや光源装置等の外部装置（医療機器）に接続されて、これらと協働することによって内視鏡システムが構築される。そのために、当該内視鏡システムにおいて、上記内視鏡は、当該内視鏡から延出される各種信号ケーブル，ライトガイドケーブル等を束ねたいわゆるユニバーサルケーブルの終端にプラグコネクタを有して構成されている。また、これに対応させて、上記外部装置は、上記内視鏡側のプラグコネクタを着脱可能とし、当該プラグコネクタが嵌合接続された時には、上記内視鏡と上記外部装置との間の電気的な接続を確保するレセプタクルコネクタを有して構成されている。なお、内視鏡システム等の医療機器に適用されるコネクタを、特に医療機器用コネクタと称している。【０００４】
一般に医療機器用コネクタにおいては、プラグコネクタとレセプタクルコネクタとを嵌合接続した時に、プラグコネクタ側に設けた接地端子（グランド端子）とレセプタクルコネクタ側に設けた接地接続端子（フィンガー端子）とが接触してレセプタクルコネクタ側の接地部に接地されることによって、通信用接点の接続部分を電磁的に遮蔽する電磁シールドを形成し、これによって放射ノイズ等の発散を抑止する構成を備えている。【０００５】
例えば、国際公開番号ＷＯ２０１１／０５２４０８号公報等によって開示されている医療機器用コネクタは、プラグコネクタ側に設けられた金属製部品とレセプタクルコネクタ側に設けられた金属部品とが、互いに嵌合して接触することで、内視鏡及び外部機器とのグランドが接続されるように構成している。【０００６】
ところで、近年の内視鏡システム等の医療機器においては、外部装置側（ビデオプロセッサや光源装置等）にレセプタクルコネクタを複数具備して構成されていながら、内部接地回路を共通とする構成のものが実用化されている。【０００７】
このような形態の医療機器においては、例えば外装装置における複数のレセプタクルコネクタのうちの一方にプラグコネクタが嵌合接続されており、他方のレセプタクルコネクタにはプラグコネクタが嵌合されていない状態、つまり空き状態のまま実用に供される場合がある。【０００８】
この場合、プラグコネクタが非接続状態にあるレセプタクルコネクタは、嵌合部が開口していることから、例えば使用者（ユーザ）等の人物の手指等や各種の器具類等の導電体が意図せずに挿入されてしまう可能性がある。したがって、レセプタクルコネクタとプラグコネクタとが嵌合していない状態においては、レセプタクルコネクタ側の嵌合部内に設けられる接地接続端子と内部接地回路とが電気的に絶縁状態になっていることが望ましい。【０００９】
ところが、上記国際公開番号ＷＯ２０１１／０５２４０８号公報等によって開示されているような形態の従来構成の医療機器用コネクタの構成を、レセプタクルコネクタを複数具備する構成の外部装置に適用する場合、プラグコネクタが非嵌合接続時において、レセプタクルコネクタ側の接地接続端子（フィンガー端子）に接触不可能とする構造を実現することは困難である。【００１０】
本発明は、上述した点に鑑みてなされたものであって、その目的とするところは、内視鏡システム等の医療機器であって、複数のレセプタクルコネクタを備えた外部装置において、レセプタクルコネクタとプラグコネクタとの嵌合接続時には電磁シールドを形成し、レセプタクルコネクタとプラグコネクタとの非嵌合時には、レセプタクルコネクタ側の嵌合部内に設けられる接地接続端子と内部接地回路（基準電位点であるグランド部）とを電気的に分離させ得る構造の医療機器用コネクタを提供することである。
【発明の開示】
【課題を解決するための手段】
【００１１】
上記目的を達成するために、本発明の一態様の医療機器用コネクタは、データを通信するための通信端子と、接地されることでデータ通信時のノイズを低減するための接地端子と、を有するプラグコネクタを嵌合可能な嵌合部、を有するコネクタであって、前記嵌合部の近傍に設けられ、電気的に接続されることで接続対象を接地する接地部と、前記嵌合部に設けられ、前記嵌合部と前記プラグコネクタとが嵌合された時に前記通信端子と電気的に接続される通信接点端子と、前記嵌合部に設けられ、前記嵌合部と前記プラグコネクタとの嵌合に連動して前記接地部と前記プラグコネクタ側の前記接地端子とを電気的に接続させる接地接続端子と、を具備し、前記プラグコネクタと前記コネクタとを嵌合接続した時には、前記接地端子と前記接地部とは前記接地接続端子を介して接続され、前記プラグコネクタと前記コネクタとの嵌合接続を解除した時には、前記プラグコネクタ側の前記接地端子と前記コネクタ側の前記接地部とは電気的に分離される。【００１２】
本発明によれば、内視鏡システム等の医療機器であって、複数のレセプタクルコネクタを備えた外部装置において、レセプタクルコネクタとプラグコネクタとの嵌合接続時には電磁シールドを形成し、レセプタクルコネクタとプラグコネクタとの非嵌合時には、レセプタクルコネクタ側の嵌合部内に設けられる接地接続端子と内部接地回路（基準電位点であるグランド部）とを電気的に分離させ得る構造の医療機器用コネクタを提供することができる。
【図面の簡単な説明】
【００１３】
【図１】本発明が適用される内視鏡システムの全体構成を示す概略構成図
【図２】図１の内視鏡システムにおけるコネクタのうち内視鏡側の内視鏡コネクタ（プラグコネクタ）を拡大して示す要部拡大斜視図
【図３】図１の内視鏡システムにおけるコネクタを示す要部拡大断面図
【図４】本発明の第１の実施形態の医療機器用コネクタにおけるプラグコネクタとレセプタクルコネクタとの非嵌合状態の構成を概念的に示す断面図
【図５】図４の医療機器用コネクタにおけるプラグコネクタとレセプタクルコネクタとの嵌合状態の構成を概念的に示す断面図
【図６】本発明の第２の実施形態の医療機器用コネクタにおけるプラグコネクタとレセプタクルコネクタとの非嵌合状態の構成を概念的に示す断面図
【図７】図６の医療機器用コネクタにおけるプラグコネクタとレセプタクルコネクタとの嵌合状態の構成を概念的に示す断面図
【図８】本発明の第３の実施形態の医療機器用コネクタにおけるプラグコネクタとレセプタクルコネクタとの非嵌合状態の構成を概念的に示す断面図
【図９】図８の医療機器用コネクタにおけるプラグコネクタとレセプタクルコネクタとの嵌合状態の構成を概念的に示す断面図
【発明を実施するための最良の形態】
【００１４】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、これら各図面に記載された構成要素の数量，構成要素の形状，構成要素の大きさの比率，各構成要素の相対的な位置関係等に関し、図示の形態のみに限定されるものではない。【００１５】
なお、以下の説明において、コネクタとは、例えば電子回路等において配線を接続し電子回路を形成するために用いられる接続用の部品等をいうものとする。このコネクタは、プラグコネクタとレセプタクルコネクタとがある。ここで、プラグコネクタとは、長いケーブルの終端に配設されるいわゆるオス側の部品を称するものである。一方、レセプタクルコネクタとは、外部装置等の配電盤等の表面に設置されるいわゆるメス側の部品を称するものである。なお、以下の説明において、内視鏡システム等の医療機器に適用されるコネクタを、特に医療機器用コネクタと称するものとする。【００１６】
まず、本発明の各実施形態を詳述する前に、医療機器用コネクタが適用される医療機器の一例として、内視鏡システムの概略構成について、図１〜図３を用いて説明する。【００１７】
図１は、本発明が適用される内視鏡システムの全体構成を示す概略構成図である。図２は、本発明が適用される内視鏡システムにおけるコネクタのうち内視鏡側の内視鏡コネクタ（プラグコネクタ）を拡大して示す要部拡大斜視図である。図３は、本発明が適用される内視鏡システムにおけるコネクタを示す断面図であって、図２の内視鏡側の内視鏡コネクタ（プラグコネクタ）が外部装置側のレセプタクルコネクタに嵌合接続している状態を示す要部拡大断面図である。【００１８】
図１に示すように、医療機器としての内視鏡システム１は、内視鏡５と、外部装置としての光源装置６及びビデオプロセッサ７と、表示装置であるカラーモニタ８等によって主に構成される。【００１９】
内視鏡５は、挿入部２と、操作部３と、ユニバーサルケーブル４等を備えて構成されている。ユニバーサルケーブル４の先端側終端部には内視鏡コネクタ５０が設けられている。この内視鏡コネクタ５０は、プラグコネクタの形態（オス側）に構成されている。内視鏡コネクタ５０は、外部装置である光源装置６に対して着脱自在に接続される。そのために、医療機器である内視鏡システムにおける外部装置である光源装置６は、医療機器用コネクタとしてのレセプタクルコネクタ６０（メス側）を複数（図１の例では２個）有して構成されている。【００２０】
内視鏡５において、挿入部２は観察対象部位へ挿入される細長な長尺部材である。挿入部２は、先端部２ａと、湾曲部２ｂと、可撓管部２ｃとを連設して構成されている。先端部２ａにはライトガイド（不図示）を備える照明光学系と、撮像素子を含む撮像装置等が内蔵されている。湾曲部２ｂは、例えば上下左右の四方向に湾曲するように構成されている。可撓管部２ｃは、長尺で可撓性を有する管状部材である。【００２１】
内視鏡５において、操作部３は、第１外装体１１と第２外装体１２とを組み合わせて構成されている。第１外装体１１には例えば処置具挿入口１３が設けられている。第１外装体１１の先端側には折れ止め部材１０を介して挿入部２の基端部が一体に連結固定されている。【００２２】
第２外装体１２には、湾曲操作部１４、各種スイッチ１５、送気送水ボタン１６、吸引ボタン１７などが設けられている。湾曲操作部１４には、例えば、湾曲部２ｂを湾曲操作するための湾曲操作ノブ１４ａ、１４ｂが設けられている。術者が、例えば湾曲操作ノブ１４ａを予め定められた方向に回転させることによって、図示しない湾曲ワイヤーが牽引、弛緩されて湾曲部２ｂが上方向に湾曲動作する。【００２３】
各種スイッチ１５は、例えば、レリーズスイッチ、フリーズスイッチ及び通常観察と蛍光観察との切替を行うための観察モード切替スイッチ等である。【００２４】
内視鏡コネクタ５０は、上述したように、ユニバーサルケーブル４の先端側終端部に設けられ、外部装置である光源装置６の前面側の盤面に設けられるレセプタクルコネクタ６０に対して着脱可能に構成されるプラグコネクタである。この内視鏡コネクタ５０は、内視鏡５と外部装置（光源装置６及びビデオプロセッサ７等）に対して接続されることで、光源光束や電気信号等を伝送するための接続用部品である。そのために、内視鏡コネクタ５０の側面からは、電気ケーブル１８が延出している。この電気ケーブル１８は、プロセッサ用コネクタ１９を介してビデオプロセッサ７に接続されている。【００２５】
内視鏡コネクタ５０の基端側、即ち上記ユニバーサルケーブル４との連設部分には、当該ユニバーサルケーブル４の外周部を被覆し、その接続強度を維持すると共に、同ケーブル４に対する捩れ等による損傷を防止するための折れ止め部材９が配設されている。【００２６】
内視鏡コネクタ５０は、図２及び図３に示すように、先端側から順に、２段連設形成され外径が異なり略円柱状からなり一体形成された２つの電気コネクタ部５０ｂ，５０ｃを有する電気プラグ部５０ａと、基端側の電気コネクタ部５０ｃに連設され略円筒状からなり当該内視鏡コネクタ５０の外装部材であるコネクタケース５０ｅと、折れ止め部材９等によって主に形成されている。【００２７】
電気プラグ部５０ａを構成する２つの電気コネクタ部５０ｂ，５０ｃは、先端側の電気コネクタ部（以下、第１電気コネクタ部という）５０ｂが基端側の電気コネクタ部（以下、第２電気コネクタ部という）５０ｃよりも小径に形成されている。【００２８】
第１電気コネクタ部５０ｂは、第２電気コネクタ部５０ｃの端面から突設するように形成されている。そして、第１電気コネクタ部５０ｂの外周部の周面の一部の領域には、複数の第１電気接点５１（後述する通信端子に相当する）の一部を外部に露出した形態で周方向に沿って並設されている。また、第１電気コネクタ部５０ｂの端面からは、外部装置からの照明光が入射されるライトガイド口金５０ｆと、外部装置からの気体が送気される送気口金５０ｇとが延設されている。第２電気コネクタ部５０ｃにも、外周部の周面の一部の領域において、複数の第２電気接点５２（後述する通信端子に相当する）が一部を外部に露出した形態で周方向に沿って並設されている。【００２９】
コネクタケース５０ｅは、外面側に複数の口金部材、例えば送水口金，加圧管口金，前方送水口金，吸引口金，漏水検知口金等（特に明示せず）が設けられている（図２，図３参照）。【００３０】
そして、コネクタケース５０ｅの基端側には、上述した折れ止め部材９が設けられ、この折れ止め部材９には、ユニバーサルケーブル４が挿通し、当該内視鏡コネクタ５０の内部に導入されている。【００３１】
内視鏡コネクタ５０の内部には、骨格部品となる金属製のフレーム部材等のほか、電子回路基板等の電気的構成部材が収納配置されていると共に、流体配管（送気送水管路）や光学的伝送部材（ライトガイドケーブル）等が挿通している。【００３２】
なお、上記コネクタケース５０ｅには、その一端部（上記電気プラグ部５０ａとの間の部位）の上下２箇所の外周縁辺に切り欠き部が形成されており、これら切り欠き部からは、上記金属製フレーム部材の一部であるフランジ部２５（後述する接地端子に相当する）が、外部に向けて露呈している。【００３３】
このフランジ部２５は、当該内視鏡コネクタ５０が、後述する光源装置６（外部装置）のレセプタクルコネクタ６０に嵌合接続した時に、当該レセプタクルコネクタ６０の接地接続端子６５に接触することで、内視鏡５と光源装置６（外部装置）とのグランドが接続されるように構成されている。【００３４】
そして、上記電気プラグ部５０ａの内部には、２つの電気コネクタ部（５０ｂ，５０ｃ）の上記複数の電気接点（５１，５２）と、これら複数の電気接点（５１，５２）に対して電気的に導通される複数の接点ピンやこれら複数の接点ピンが半田付け固定される複数の電気基板（いずれも不図示）等が配設されている。なお、電気プラグ部５０ａの内部構造の詳細は、本発明に直接関連しない部分であるので、その詳細説明及び図示は省略する。以上のように内視鏡システム１は構成されている。【００３５】
このように構成された内視鏡システム１において、プラグコネクタの形態に構成される内視鏡コネクタ５０と、光源装置６（外部装置）における医療機器用コネクタとしてのレセプタクルコネクタ６０についての実施形態を、以下に詳述する。【００３６】
［第１の実施形態］
図４，図５は、本発明の第１の実施形態の医療機器用コネクタの構成を概念的に示す断面図である。このうち、図４は、本実施形態の医療機器用コネクタにおいて、プラグコネクタがレセプタクルコネクタに嵌合していない非嵌合状態を示している。また、図５は、本実施形態の医療機器用コネクタにおいて、プラグコネクタがレセプタクルコネクタに嵌合している接続状態を示している。【００３７】
本実施形態の医療機器用コネクタは、上述したように、内視鏡５側に設けられオス側のプラグコネクタ形態からなる内視鏡コネクタ５０と、光源装置６（外部装置）側に設けられるメス側のレセプタクルコネクタ６０とによって構成される。【００３８】
このうち内視鏡コネクタ５０は、複数の第１電気接点５１を有する第１電気コネクタ部５０ｂと、複数の第２電気接点５２を有する第２電気コネクタ部５０ｃと共に、さらにグランドに接続される部位であり金属製フレーム部材の一部であるフランジ部２５（接地端子）を備えている。【００３９】
上記複数の第１電気接点５１，上記複数の第２電気接点５２は、共にデータを伝送し通信するための端子部であって、内視鏡５と外部装置（光源装置６，ビデオプロセッサ７）との間でデータ通信を行なう通信用の端子、即ち通信端子である。【００４０】
また、フランジ部２５は、金属製フレーム部材の一部であり、接地されることでデータ通信時のノイズを低減するため接地端子である。【００４１】
なお、図４，図５において、内視鏡コネクタ５０の一部の構成、即ち第１電気コネクタ部５０ｂの端面から延設される構成部材（上記ライトガイド口金５０ｆ，送気口金５０ｇ）の図示を省略し、内視鏡コネクタ５０の形状を概念的に図示している。また、上述した２つの電気コネクタ部（５０ｂ，５０ｃ）の上記複数の電気接点（５１，５２）及びこれに対応する通信接点端子（６１，６２）については、図示を簡略化して一つにまとめて図示している（符号５１，６１参照）。【００４２】
一方、レセプタクルコネクタ６０は、光源装置６（外部装置）の前面側の盤面に設けられ、上記内視鏡コネクタ５０（プラグコネクタ）を嵌合可能に構成されるコネクタ（接続用部品）である。そのために、レセプタクルコネクタ６０は、開口部６０ｄと、嵌合部６０ａと、接地部６３と、通信接点端子６１と、接地接続端子６５とを備えている。【００４３】
レセプタクルコネクタ６０において、上記開口部６０ｄは、光源装置６（外部装置）の前面側の盤面に穿設されて、外部と内部を連通させる開口である。開口部６０ｄは、内視鏡コネクタ５０（プラグコネクタ）の少なくともフランジ部２５の外径部分を受け入れ可能なサイズの直径を有して形成されている。【００４４】
なお、開口部６０ｄの内縁部には、当該開口部６０ｄの径方向の内側に向けて突出するように形成される内向フランジ部６０ｃが設けられている。この内向フランジ部６０ｃは、内視鏡コネクタ５０のレセプタクルコネクタ６０への嵌合時には、内視鏡コネクタ５０が開口部６０ｄへ挿入するのを阻害することのないように形成されている。これと同時に、内向フランジ部６０ｃは、内視鏡コネクタ５０のレセプタクルコネクタ６０への非嵌合時には、開口部６０ｄへの異物等の侵入を抑止すると共に、開口部６０ｄから侵入した異物等が接地接続端子６５に作用して、これを変形させ、これにより接地接続端子６５が接地部６３に接触してしまうことを防止するために設けられている。【００４５】
上記嵌合部６０ａは、内視鏡コネクタ５０に対応して当該内視鏡コネクタ５０（プラグコネクタ）を嵌合可能な部位である。この嵌合部６０ａは、電気コネクタ部５０ａの形状に対応するように形成されている。【００４６】
接地部６３は、電気的に接続されることで上記フランジ部２５（接地端子）を接地する構成部材である。この接地部６３は、外部装置である光源装置６の筐体内の内部接地回路（基準電位点であるグランド部）に接続されている金属等の導電性部材からなる。そして、接地部６３は、レセプタクルコネクタ６０において、嵌合部６０ａの外周側近傍であって、内視鏡コネクタ５０をレセプタクルコネクタ６０に嵌合させる際の挿入方向に沿う方向に延出するように配設されている。【００４７】
通信接点端子６１は、上記嵌合部６０ａに対し、上記内視鏡コネクタ５０が嵌合された状態となったとき、上記電気接点５１（通信端子）に対して電気的に接続される端子部材である。そして、通信接点端子６１は、外部装置である光源装置６の内部電子回路若しくは電気ケーブル１８，プロセッサ用コネクタ１９を介して接続される外部装置であるビデオプロセッサ７の内部電子回路に接続されている。通信接点端子６１は、レセプタクルコネクタ６０と内視鏡コネクタ５０（プラグコネクタ）との嵌合時には、内視鏡コネクタ５０（プラグコネクタ）による応力によって変形し得るように形成されている。そのために、通信接点端子６１は、例えば弾性を有する薄板状若しくは線形状の金属素材によって形成され、弾性変形可能に形成されている。通信接点端子６１は、全体がレセプタクルコネクタ６０の内部に配設され、一部が嵌合部６０ａの内壁面より内側に向けて突設した形態で配置されている。そして、通信接点端子６１は、内視鏡コネクタ５０をレセプタクルコネクタ６０に嵌合させる際の挿入方向に略直交する方向に向けて変形移動するように構成されている。【００４８】
接地接続端子６５は、上記嵌合部６０ａと上記内視鏡コネクタ５０との嵌合に連動して、上記接地部６３と上記フランジ部２５（接地端子）とを電気的に接続させるために、上記接地部６３と上記フランジ部２５（接地端子）との間に介在する端子部材である。【００４９】
接地接続端子６５は、レセプタクルコネクタ６０に内視鏡コネクタ５０（プラグコネクタ）が嵌合されていない非嵌合状態（通常状態）においては、接地部６３に対し非接触状態にある。一方、接地接続端子６５は、レセプタクルコネクタ６０の嵌合部６０ａに内視鏡コネクタ５０（プラグコネクタ）の電気プラグ部５０ａが嵌合された嵌合状態となったときには、内視鏡コネクタ５０（プラグコネクタ）による応力によって変形して、接地部６３と電気的に接続されるように構成されている。【００５０】
そのために、接地接続端子６５は、例えば弾性を有する薄板状若しくは線形状の金属素材によって形成され弾性変形可能に形成されたいわゆるフィンガー端子を構成している。接地接続端子６５は、全体がレセプタクルコネクタ６０の内部に配置され、一部が第２嵌合部６０ｂの内壁面より内側に向けて突設した形態で配置されている。そして、接地接続端子６５も、内視鏡コネクタ５０をレセプタクルコネクタ６０に嵌合させる際の挿入方向に略直交する方向に向けて変形移動するように構成されている。【００５１】
このように構成されたレセプタクルコネクタ６０においては、内視鏡コネクタ５０が嵌合接続されていない状態にあるときには、図４に示すように、接地接続端子６５と接地部６３とは非接触状態にある。つまり、プラグコネクタ形態の内視鏡コネクタ５０とレセプタクルコネクタ６０との嵌合接続が解除されている時には、接地部６３と上記フランジ部２５（接地端子）とを電気的に分離する役目をしている。【００５２】
ここで、レセプタクルコネクタ６０に内視鏡コネクタ５０を嵌合接続する際の作用を詳述する。【００５３】
まず、図４に示す状態、即ちレセプタクルコネクタ６０と内視鏡コネクタ５０とが非嵌合状態にあるとき、レセプタクルコネクタ６０の開口部６０ｄに対して内視鏡コネクタ５０（プラグコネクタ）の先端側の電気プラグ部５０ａを挿入する。そして、内視鏡コネクタ５０の電気プラグ部５０ａをレセプタクルコネクタ６０の嵌合部６０ａに嵌合させる。【００５４】
ここで、両者が嵌合する前の状態では、レセプタクルコネクタ６０は通常状態にあり、このとき上述したように接地接続端子６５と接地部６３とは非接触状態にある。この状態から電気プラグ部５０ａが開口部６０ｄから嵌合部６０ａへと進入する過程において、電気接点５１が通信接点端子６１に接触し、さらに内視鏡コネクタ５０を押し込むと、電気プラグ部５０ａは、電気接点５１と通信接点端子６１との接触状態を維持しながら、通信接点端子６１を変形させつつ、さらに奥へと進入する。【００５５】
同時に、上記嵌合過程において、フランジ部２５が接地接続端子６５に接触する。そして、内視鏡コネクタ５０がさらに押し込まれると、電気プラグ部５０ａは、フランジ部２５と接地接続端子６５との接触状態を維持しながら、接地接続端子６５を変形させつつ、さらに奥へと進入する。こうして、内視鏡コネクタ５０のレセプタクルコネクタ６０に対する嵌合が進むにつれて、これに連動して接地接続端子６５が変形して、その一部が接地部６３に近付く。やがて、電気プラグ部５０ａが嵌合部６０ａに対して完全に嵌合接続された状態になったときに、接地接続端子６５は接地部６３に接触する。これにより、フランジ部２５（接地端子）は、接地接続端子６５を介して接地部６３と電気的に接続される。【００５６】
ここで、内視鏡コネクタ５０とレセプタクルコネクタ６０とを嵌合させつつあるときには、嵌合状態は解除されている状態にあるので、接地接続端子６５と接地部６３とは非接触状態にある。したがって、接地部６３と上記フランジ部２５（接地端子）とは電気的に分離している。そして、電気プラグ部５０ａが嵌合部６０ａに対して完全に嵌合接続されたときに接地接続端子６５と接地部６３とが接触することで、接地部６３と上記フランジ部２５（接地端子）とは、接地接続端子６５を介して電気的に接続されることになる。このときの状態が図５に示す状態である。【００５７】
このようにして、図５に示すように、内視鏡コネクタ５０（プラグコネクタ）とレセプタクルコネクタ６０とが嵌合接続された時には、フランジ部２５（接地端子）と接地部６３とは接地接続端子６５を介して接続される。このとき、上記電気接点５１（通信端子）と通信接点端子６１との接続部分を含む周囲領域には、図５の符号１００で示す領域において電磁シールドが形成される。【００５８】
上記電磁シールド１００は、レセプタクルコネクタ６０側に設けられる接地接続端子６５，接地部６３と、内視鏡コネクタ５０側のフランジ部２５とが接続されることで、ノイズ遮蔽用のシールドとして形成されるものである。【００５９】
以上説明したように上記第１の実施形態によれば、内視鏡コネクタ５０（プラグコネクタ）とレセプタクルコネクタ６０との嵌合時には、内視鏡コネクタ５０のフランジ部２５とレセプタクルコネクタ６０の接地接続端子６５を介して接地部６３が接続されて電磁シールドが形成される一方、内視鏡コネクタ５０（プラグコネクタ）とレセプタクルコネクタ６０との非嵌合時には、レセプタクルコネクタ６０の接地接続端子６５と接地部６３とは非接触状態にあって接続されていないので接地接続端子６５は接地されない状態とすることができる。【００６０】
接地接続端子６５は、内視鏡コネクタ５０（プラグコネクタ）がレセプタクルコネクタ６０に嵌合される時に、内視鏡コネクタ５０の電気プラグ部５０ａによる応力によって変形するように構成したので、内視鏡コネクタ５０（プラグコネクタ）をレセプタクルコネクタ６０に挿入し嵌合させるのみで、接地接続端子６５を接地部６３に電気的に接続させることができる。【００６１】
したがって、この構成により、本実施形態の医療機器用コネクタにおいては、内視鏡システム１等の医療機器であって複数のレセプタクルコネクタ６０を備えた外部装置（光源装置６，ビデオプロセッサ７等）において、レセプタクルコネクタ６０に対してプラグコネクタ（内視鏡コネクタ５０）を接続した時には、接地接続端子６５とフランジ部２５（接地端子）とが電気的に接続されて電磁シールドを形成する。一方、レセプタクルコネクタ６０と内視鏡コネクタ５０（プラグコネクタ）との非接続時には、レセプタクルコネクタ６０側の嵌合部内に設けられる接地接続端子６５と内部接地回路（基準電位点であるグランド部）とが電気的に分離状態とすることができる。【００６２】
また、本実施形態によれば、内視鏡コネクタ５０については、特に構成的な変更を伴うことなく対応できる。したがって、従来既存の形態の内視鏡コネクタをそのまま適用することができる。【００６３】
［第２の実施形態］
次に、本発明の第２の実施形態の医療機器用コネクタについて、以下に説明する。図６，図７は、本発明の第２の実施形態の医療機器用コネクタの構成を概念的に示す断面図である。このうち、図６は、本実施形態の医療機器用コネクタにおいて、プラグコネクタがレセプタクルコネクタに嵌合していない非嵌合状態を示している。また、図７は、本実施形態の医療機器用コネクタにおいて、プラグコネクタがレセプタクルコネクタに嵌合している接続状態を示している。【００６４】
本実施形態の医療機器用コネクタの基本的な構成は、上述の第１の実施形態と略同様である。本実施形態において、内視鏡５側に設けられるオス側のプラグコネクタ形態からなる内視鏡コネクタ５０Ａについては、電気プラグ部５０ａの先端部に押圧突起部５０ｈが突設されて構成される点が異なるのみである。この押圧突起部５０ｈは、図６，図７に示すように、内視鏡コネクタ５０Ａをレセプタクルコネクタ６０Ａに嵌合する際の挿入方向に突出するように形成される棒状部である。この押圧突起部５０ｈは、嵌合部６０ａの底面部に穿設された貫通孔６０ｆ（後述する）に挿通し得るように、その配置及び形状，サイズが形成されている。内視鏡コネクタ５０Ａにおけるその他の構成は、上述の第１の実施形態と同様である。【００６５】
一方、本実施形態においては、光源装置６（外部装置）側に設けられるメス側のレセプタクルコネクタ６０Ａの構成が若干異なる。したがって、上述の第１の実施形態と略同様の構成については、同じ符号を付して、その説明を省略し、異なる部分についてのみ以下に詳述する。【００６６】
本実施形態の医療機器用コネクタにおいて、レセプタクルコネクタ６０Ａは、上述の第１の実施形態と同様に、光源装置６（外部装置；図１参照）の前面側の盤面に設けられ、上記内視鏡コネクタ５０Ａを嵌合可能に構成されるコネクタ（接続用部品）である。そのために、レセプタクルコネクタ６０Ａは、開口部６０ｄと、嵌合部６０ａと、接地部６３Ａと、通信接点端子６１と、接地接続端子６５Ａとを備えている。【００６７】
レセプタクルコネクタ６０Ａにおいて、上記開口部６０ｄは、上述の第１の実施形態と同様の開口である。なお、本実施形態の開口部６０ｄにおいては、上述の第１の実施形態における内向フランジ部６０ｃは設けられていない。これは、本実施形態の構成においては、内視鏡コネクタ５０Ａのレセプタクルコネクタ６０Ａへの非嵌合時において、開口部６０ｄから侵入した異物等が接地接続端子６５Ａに作用したとしても、当該接地接続端子６５Ａが接地部６３Ａに接触する虞がないために、上記内向フランジ部６０ｃを不要としている。【００６８】
上記嵌合部６０ａは、上記第１の実施形態と同様に形成されている。本実施形態においては、さらに、先端側の嵌合部６０ａの底面部には、貫通孔６０ｆが穿設されている。この貫通孔６０ｆは、内視鏡コネクタ５０Ａがレセプタクルコネクタ６０Ａに嵌合する時、内視鏡コネクタ５０Ａ側の上記押圧突起部５０ｈが挿通される貫通孔として形成されている。【００６９】
接地部６３Ａは、電気的に接続されることで接続対象としての上記フランジ部２５（接地端子）を接地する構成部材であるという機能面については、上記第１の実施形態と同様である。また、当該接地部６３Ａは、光源装置６（外部装置）の筐体内の内部接地回路（基準電位点であるグランド部）に接続されている金属等の導電性部材からなり、レセプタクルコネクタ６０Ａにおいて、嵌合部６０ａの近傍に配設されている点においても同様である。なお、本実施形態における接地部６３Ａは、レセプタクルコネクタ６０Ａにおいて、嵌合部６０ａの近傍であって、内視鏡コネクタ５０Ａをレセプタクルコネクタ６０Ａに嵌合させる際の挿入方向に沿う奥まった位置であって、上記貫通孔６０ｆに対向する位置に固設されている。【００７０】
通信接点端子６１は、上述の第１の実施形態と全く同様に構成されている。【００７１】
接地接続端子６５Ａは、上記嵌合部６０ａと上記内視鏡コネクタ５０Ａとの嵌合に連動して、上記接地部６３Ａと上記フランジ部２５（接地端子）とを電気的に接続させるために、上記接地部６３Ａと上記フランジ部２５（接地端子）との間に介在する端子部材であるという機能面について、上記第１の実施形態と同様である。【００７２】
本実施形態においては、接地接続端子６５Ａは、その一端が嵌合部６０ａの内周面上に突設し、上記フランジ部２５（接地端子）と接触する接触部を有し、この接触部から延設してレセプタクルコネクタ６０Ａの内部を回り込むように配置され、他端が接地部６３Ａの近傍において、上記接地部６３Ａと上記貫通孔６０ｆとの間の空間に配置されている。この場合において、接地接続端子６５Ａの他端は、片持ち梁状に形成されていて、内視鏡コネクタ５０Ａのレセプタクルコネクタ６０Ａに対する嵌合時の挿入方向に弾性変形可能となるように構成されている。【００７３】
この構成により、レセプタクルコネクタ６０Ａに内視鏡コネクタ５０Ａが嵌合されていない非嵌合状態のときには、接地接続端子６５Ａの他端は接地部６３Ａに対し非接触状態にある。一方、接地接続端子６５Ａは、レセプタクルコネクタ６０Ａの嵌合部６０ａに内視鏡コネクタ５０Ａの電気プラグ部５０ａが嵌合された嵌合状態となったときには、内視鏡コネクタ５０Ａの先端の押圧突起部５０ｈによって押圧されることで変形して、接地部６３Ａと電気的に接続されるように構成されている。【００７４】
そのために、接地接続端子６５Ａは、例えば弾性を有する薄板状若しくは線形状の金属素材によって形成されている。そして、接地接続端子６５Ａは、一端側の一部が第２嵌合部６０ｂの内壁面より内側に向けて突設した形態で配置され、内視鏡コネクタ５０Ａをレセプタクルコネクタ６０Ａに嵌合させる際の挿入方向に略直交する方向に向けて変形移動するように構成されている。また、接地接続端子６５Ａの他端側の一部は、上述したように、接地部６３Ａと貫通孔６０ｆとの間の空間において、内視鏡コネクタ５０Ａのレセプタクルコネクタ６０Ａに対する嵌合時の挿入方向に弾性変形可能となるように配置されている。【００７５】
このように構成された本実施形態におけるレセプタクルコネクタ６０Ａも、内視鏡コネクタ５０Ａが嵌合接続されていない状態にあるときには、図６に示すように、接地接続端子６５Ａと接地部６３Ａとは非接触状態にある。つまり、内視鏡コネクタ５０Ａとレセプタクルコネクタ６０Ａとの嵌合接続が解除されている時には、接地部６３Ａとフランジ部２５とは電気的に分離されている。【００７６】
ここで、レセプタクルコネクタ６０Ａに内視鏡コネクタ５０Ａを嵌合接続する際の作用を詳述する。【００７７】
まず、図６に示す状態、即ちレセプタクルコネクタ６０Ａと内視鏡コネクタ５０Ａとが非嵌合状態にあるとき、レセプタクルコネクタ６０Ａの開口部６０ｄに対して内視鏡コネクタ５０Ａの先端側の電気プラグ部５０ａを挿入する。そして、内視鏡コネクタ５０Ａの電気プラグ部５０ａをレセプタクルコネクタ６０Ａの嵌合部６０ａに嵌合させる。【００７８】
この場合において、両者が嵌合する前の状態では、レセプタクルコネクタ６０Ａは通常状態にあり、このとき接地接続端子６５Ａの他端と接地部６３Ａとは非接触状態にある（図６）。この状態から電気プラグ部５０ａが開口部６０ｄから嵌合部６０ａへと進入する過程において、電気接点５１が通信接点端子６１に接触し、さらに内視鏡コネクタ５０Ａを押し込むと、電気プラグ部５０ａは、電気接点５１と通信接点端子６１との接触状態を維持しながら、通信接点端子６１を変形させつつ、さらに奥へと進入する。なお、ここまでの通信接点端子６１と電気接点５１との接続作用は、上述の第１の実施形態と同様である。【００７９】
同時に、上記嵌合過程において、フランジ部２５が接地接続端子６５Ａに接触する。そして、内視鏡コネクタ５０Ａがさらに押し込まれると、電気プラグ部５０ａは、フランジ部２５と接地接続端子６５Ａの一端との接触状態を維持しながら、接地接続端子６５Ａを変形させつつ、さらに奥へと進入する。【００８０】
このようにして、内視鏡コネクタ５０Ａがさらに押し込まれると、内視鏡コネクタ５０Ａの電気プラグ部５０ａの先端の押圧突起部５０ｈが貫通孔６０ｆに挿通される。すると、押圧突起部５０ｈの先端が接地接続端子６５Ａの他端に接触し、これを押圧して変形させる。そして、接地接続端子６５Ａの他端が接地部６３Ａに近付く。やがて、電気プラグ部５０ａが嵌合部６０ａに対して完全に嵌合接続された状態になったときに、接地接続端子６５Ａの他端は接地部６３Ａに接触する。これにより、フランジ部２５（接地端子）は、接地接続端子６５Ａを介して接地部６３Ａと電気的に接続される。【００８１】
ここで、内視鏡コネクタ５０Ａとレセプタクルコネクタ６０Ａとを嵌合させつつあるときには、接地部６３Ａと上記フランジ部２５とは電気的に分離している。一方、電気プラグ部５０ａが嵌合部６０ａに対して完全に嵌合接続されたときには、接地接続端子６５Ａの他端と接地部６３Ａとが接触することで、接地部６３Ａと上記フランジ部２５とは、接地接続端子６５Ａを介して電気的に接続される。このときの状態が図７に示す状態である。【００８２】
このようにして、図７に示すように、内視鏡コネクタ５０Ａとレセプタクルコネクタ６０Ａとが嵌合接続された時には、フランジ部２５と接地部６３Ａとは接地接続端子６５Ａを介して接続される。このとき、上記電気接点５１（通信端子）と通信接点端子６１との接続部分を含む周囲領域には、上述の第１の実施形態と同様に、図７の符号１００で示す領域において電磁シールドが形成される。【００８３】
以上説明したように上記第２の実施形態によれば、上述の第１の実施形態と同様の効果を得ることができる。【００８４】
また、本実施形態によれば、内視鏡コネクタ５０Ａをレセプタクルコネクタ６０に嵌合させるための挿入作用によって、内視鏡コネクタ５０Ａの電気プラグ部５０ａの先端の押圧突起部５０ｈが貫通孔６０ｆを挿通して、奥まった位置にある接地接続端子６５Ａの他端を押圧突起部５０ｈの先端が押圧し、これを変形させて、接地部６３Ａに接触させるように構成している。【００８５】
この構成により、内視鏡コネクタ５０Ａとレセプタクルコネクタ６０Ａとが非嵌合状態にある時に、レセプタクルコネクタ６０の開口部６０ｄから侵入した異物等が接地接続端子６５Ａに作用したとしても、当該接地接続端子６５Ａが接地部６３Ａに接触する虞はない。【００８６】
したがって、内視鏡コネクタ５０Ａとレセプタクルコネクタ６０Ａとの非嵌合状態において、接地部６３Ａと上記フランジ部２５との電気的な分離状態を確実に確保することができる。【００８７】
なお、本実施形態においては、上記第１の実施形態とは異なり、内視鏡コネクタ５０Ａについても若干の構成的な変更を伴う。【００８８】
［第３の実施形態］
次に、本発明の第３の実施形態の医療機器用コネクタについて、以下に説明する。図８，図９は、本発明の第３の実施形態の医療機器用コネクタの構成を概念的に示す断面図である。このうち、図８は、本実施形態の医療機器用コネクタにおいて、プラグコネクタがレセプタクルコネクタに嵌合していない非嵌合状態を示している。また、図９は、本実施形態の医療機器用コネクタにおいて、プラグコネクタがレセプタクルコネクタに嵌合している接続状態を示している。【００８９】
本実施形態の医療機器用コネクタの基本的な構成は、上述の各実施形態と略同様である。本実施形態において、内視鏡５側に設けられるオス側のプラグコネクタ形態からなる内視鏡コネクタ５０については、上述の第１の実施形態と全く同様の構成からなる。したがって、その構成の説明は省略する。【００９０】
一方、本実施形態においては、光源装置６（外部装置）側に設けられるメス側のレセプタクルコネクタ６０Ｂの構成が若干異なる。したがって、上述の各実施形態と略同様の構成については、同じ符号を付して、その説明を省略し、異なる部分についてのみ以下に詳述する。【００９１】
本実施形態の医療機器用コネクタにおいて、レセプタクルコネクタ６０Ｂは、上述の第２の実施形態と同様に、光源装置６（外部装置；図１参照）の前面側の盤面に設けられ、上記内視鏡コネクタ５０を嵌合可能に構成されるコネクタ（接続用部品）である。そのために、レセプタクルコネクタ６０Ｂは、開口部６０ｄと、嵌合部６０ａと、接地部６３Ａと、通信接点端子６１と、接地接続端子６５Ａとを備えている。【００９２】
レセプタクルコネクタ６０Ｂにおいて、上記開口部６０ｄは、上述の第２の実施形態と全く同様構成である。したがって、本実施形態の開口部６０ｄにおいても、上述の第１の実施形態における内向フランジ部６０ｃは設けられていない。これは、上述の第２の実施形態の構成と同様の理由により不要としている。【００９３】
上記嵌合部６０ａは、上記第２の実施形態と同様に形成されている。本実施形態においても、上述の第２の実施形態と同様に、嵌合部６０ａの底面部に貫通孔６０ｆが穿設されている。本実施形態においては、さらに、上記貫通孔６０ｆには、同貫通孔６０ｆの貫通方向、即ち内視鏡コネクタ５０をレセプタクルコネクタ６０Ｂに嵌合させる際の挿入方向に沿って突没可能に移動部材６０ｅが配置されている。この移動部材６０ｅは、内視鏡コネクタ５０がレセプタクルコネクタ６０Ｂに嵌合する時、内視鏡コネクタ５０の先端によって押圧されることで接地接続端子６５Ａの他端を押圧変形させて接地部６３Ａへと接続させるために介在する中間部材である。なお、図示を省略しているが、移動部材６０ｅは、図９に示す通常状態（非嵌合状態）では、嵌合部６０ａの内部に突出する位置に配置されるように、不図示の付勢手段にて図８の矢印Ｘ１方向に付勢されている。この構成により、上記移動部材６０ｅは、非嵌合時に通信接点端子６１に対して使用者（ユーザ）等の人物の手指等や各種の器具類等の導電体が意図せずに接触してしまうことを防止する役割をも兼ねている。【００９４】
接地部６３Ａ，通信接点端子６１，接地接続端子６５Ａは、上述の第２の実施形態と同様の構成からなる。【００９５】
この構成により、レセプタクルコネクタ６０Ｂに内視鏡コネクタ５０が嵌合されていない非嵌合状態のときには、図８に示すように、接地接続端子６５Ａの他端は接地部６３Ａに対し非接触状態にある。つまり、内視鏡コネクタ５０とレセプタクルコネクタ６０Ｂとの嵌合接続が解除されている時には、接地部６３Ａとフランジ部２５とは電気的に分離されている。一方、接地接続端子６５Ａは、レセプタクルコネクタ６０Ｂの嵌合部６０ａに内視鏡コネクタ５０の電気プラグ部５０ａが嵌合された嵌合状態となったときには、内視鏡コネクタ５０の先端が移動部材６０ｅを押圧し、この移動部材６０ｅが図８の矢印Ｘ２方向に移動して、接地接続端子６５Ａの他端を押圧し、これを変形させることで、接地接続端子６５Ａの他端を接地部６３Ａと電気的に接続させる。【００９６】
ここで、レセプタクルコネクタ６０Ｂに内視鏡コネクタ５０を嵌合接続する際の作用を詳述する。【００９７】
まず、図８に示す状態、即ちレセプタクルコネクタ６０Ｂと内視鏡コネクタ５０とが非嵌合状態にあるとき、レセプタクルコネクタ６０Ｂの開口部６０ｄに対して内視鏡コネクタ５０の先端側の電気プラグ部５０ａを挿入する。そして、内視鏡コネクタ５０の電気プラグ部５０ａをレセプタクルコネクタ６０Ｂの嵌合部６０ａに嵌合させる。【００９８】
この場合において、両者が嵌合する前の状態では、レセプタクルコネクタ６０Ｂは通常状態にあり、このとき接地接続端子６５Ａの他端と接地部６３Ａとは非接触状態にある（図８）。この状態から電気プラグ部５０ａが開口部６０ｄから嵌合部６０ａへと進入する過程において、電気接点５１が通信接点端子６１に接触する。このときの、通信接点端子６１と電気接点５１との接続作用は、上述の第１，第２の実施形態と同様である。【００９９】
同時に、上記嵌合過程において、フランジ部２５が接地接続端子６５Ａに接触する。そして、内視鏡コネクタ５０がさらに押し込まれると、電気プラグ部５０ａは、フランジ部２５と接地接続端子６５Ａの一端との接触状態を維持しながら、接地接続端子６５Ａを変形させつつ、さらに奥へと進入する。【０１００】
このようにして、内視鏡コネクタ５０がさらに押し込まれると、内視鏡コネクタ５０の先端が貫通孔６０ｆに配設されている移動部材６０ｅに当接し、これを押圧する。すると、当該移動部材６０ｅは貫通孔６０ｆ内を図８の矢印Ｘ２方向に移動して、移動部材６０ｅの先端が接地接続端子６５Ａの他端に接触し、これを押圧して変形させる。そして、接地接続端子６５Ａの他端が接地部６３Ａに近付く。やがて、電気プラグ部５０ａが嵌合部６０ａに対して完全に嵌合接続された状態になったときに、接地接続端子６５Ａの他端は接地部６３Ａに接触する。これにより、フランジ部２５（接地端子）は、接地接続端子６５Ａを介して接地部６３Ａと電気的に接続される。【０１０１】
ここで、内視鏡コネクタ５０とレセプタクルコネクタ６０Ｂとを嵌合させつつあるときには、接地部６３Ａと上記フランジ部２５とは電気的に分離している。一方、電気プラグ部５０ａが嵌合部６０ａに対して完全に嵌合接続されたときには、接地接続端子６５Ａの他端と接地部６３Ａとが接触することで、接地部６３Ａと上記フランジ部２５とは、接地接続端子６５Ａを介して電気的に接続される。このときの状態が図９に示す状態である。【０１０２】
このようにして、図９に示すように、内視鏡コネクタ５０とレセプタクルコネクタ６０Ｂとが嵌合接続された時には、フランジ部２５と接地部６３Ａとは接地接続端子６５Ａを介して接続される。このとき、上記電気接点５１（通信端子）と通信接点端子６１との接続部分を含む周囲領域には、上述の各実施形態と同様に、図９の符号１００で示す領域において電磁シールドが形成される。【０１０３】
以上説明したように上記第３の実施形態によれば、上述の各実施形態と同様の効果を得ることができる。また、本実施形態によれば、上述の第１の実施形態と同様に、内視鏡コネクタ５０についての構成的な変更を伴わないので、従来既存の形態の内視鏡コネクタをそのまま適用することができる。【０１０４】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。【０１０５】
本出願は、２０１５年６月１５日に日本国に出願された特許出願２０１５−１２０５３２号を優先権主張の基礎として出願するものである。上記基礎出願により開示された内容は、本願の明細書と請求の範囲と図面に引用されているものである。
【産業上の利用可能性】
【０１０６】
本発明は、医療分野の内視鏡装置だけでなく、工業分野の内視鏡装置にも適用することができる。
【図１】
2016203824.tif 000003
【図２】
2016203824.tif 000004
【図３】
2016203824.tif 000005
【図４】
2016203824.tif 000006
【図５】
2016203824.tif 000007
【図６】
2016203824.tif 000008
【図７】
2016203824.tif 000009
【図８】
2016203824.tif 000010
【図９】
2016203824.tif 000011
【手続補正書】
【提出日】平成28年10月24日(2016.10.24)
【手続補正２】
【補正対象書類名】明細書
【補正対象項目名】０００１
【補正方法】変更
【補正の内容】
【０００１】
この発明は、内視鏡等のプラグコネクタを嵌合接続可能とするレセプタクルコネクタを複数具備する医療機器に適用されるレセプタクルコネクタに関するものである。
【手続補正３】
【補正対象書類名】明細書
【補正対象項目名】００１０
【補正方法】変更
【補正の内容】
【００１０】
本発明は、上述した点に鑑みてなされたものであって、その目的とするところは、内視鏡システム等の医療機器であって、複数のレセプタクルコネクタを備えた外部装置において、レセプタクルコネクタとプラグコネクタとの嵌合接続時には電磁シールドを形成し、レセプタクルコネクタとプラグコネクタとの非嵌合時には、レセプタクルコネクタ側の嵌合部内に設けられる接地接続端子と内部接地回路（基準電位点であるグランド部）とを電気的に分離させ得る構造のレセプタクルコネクタを提供することである。
【手続補正４】
【補正対象書類名】明細書
【補正対象項目名】００１１
【補正方法】変更
【補正の内容】
【００１１】
上記目的を達成するために、本発明の一態様のレセプタクルコネクタは、接地されることで電磁シールドを形成するための接地端子を有するプラグコネクタを嵌合可能な嵌合部を有するレセプタクルコネクタであって、前記嵌合部に設けられ、前記嵌合部と前記プラグコネクタとが嵌合されていない時に前記接地端子と電気的に分離される第１状態と、前記嵌合部と前記プラグコネクタとが嵌合された時に前記接地端子と接触し導通する第２状態と、に切り替え可能に保持された接地接続端子と、電気的に接続されることで接続対象を接地する接地部とを具備し、前記接地接続端子は、前記プラグコネクタと前記コネクタとの嵌合に連動して前記第１状態と前記第２状態とに切り替わり、前記第１状態の時に前記接地端子と前記接地部とは電気的に分離され、前記第２状態の時に前記接地端子と前記接地部とは、前記接地接続端子を介して導通する。
【手続補正５】
【補正対象書類名】明細書
【補正対象項目名】００１２
【補正方法】変更
【補正の内容】
【００１２】
本発明によれば、内視鏡システム等の医療機器であって、複数のレセプタクルコネクタを備えた外部装置において、レセプタクルコネクタとプラグコネクタとの嵌合接続時には電磁シールドを形成し、レセプタクルコネクタとプラグコネクタとの非嵌合時には、レセプタクルコネクタ側の嵌合部内に設けられる接地接続端子と内部接地回路（基準電位点であるグランド部）とを電気的に分離させ得る構造のレセプタクルコネクタを提供することができる。
【手続補正６】
【補正対象書類名】特許請求の範囲
【補正対象項目名】全文
【補正方法】変更
【補正の内容】
【特許請求の範囲】
【請求項１】
接地されることで電磁シールドを形成するための接地端子を有するプラグコネクタを嵌合可能な嵌合部を有するレセプタクルコネクタであって、
前記嵌合部に設けられ、前記嵌合部と前記プラグコネクタとが嵌合されていない時に前記接地端子と電気的に分離される第１状態と、前記嵌合部と前記プラグコネクタとが嵌合された時に前記接地端子と接触し導通する第２状態と、に切り替え可能に保持された接地接続端子と、
電気的に接続されることで接続対象を接地する接地部と、
を具備し、
前記接地接続端子は、前記プラグコネクタと前記コネクタとの嵌合に連動して前記第１状態と前記第２状態とに切り替わり、
前記第１状態の時に前記接地端子と前記接地部とは電気的に分離され、前記第２状態の時に前記接地端子と前記接地部とは、前記接地接続端子を介して導通することを特徴とするレセプタクルコネクタ。
【請求項２】
前記接地接続端子における前記第１状態から前記第２状態への切り替わりは、前記プラグコネクタが挿入される時の押圧力により変形することによって生じることを特徴とする請求項１に記載のレセプタクルコネクタ。
【請求項３】
前記接地接続端子における前記第１状態から前記第２状態への切り替わりは、前記嵌合部が前記プラグコネクタと嵌合された状態において前記プラグコネクタの先端による押圧力によって変形することにより生じることを特徴とする請求項１に記載のレセプタクルコネクタ。
【手続補正書】
【提出日】平成29年2月10日(2017.2.10)
【手続補正１】
【補正対象書類名】明細書
【補正対象項目名】００１１
【補正方法】変更
【補正の内容】
【００１１】
上記目的を達成するために、本発明の一態様のレセプタクルコネクタは、接地されることで電磁シールドを形成するための接地端子を有するプラグコネクタを嵌合可能な嵌合部を有するレセプタクルコネクタであって、電気的に接続されることで接続対象を接地する接地部と、前記嵌合部に設けられ、前記嵌合部と前記プラグコネクタとが嵌合されていない時に前記接地部と電気的に分離される第１状態と、前記嵌合部と前記プラグコネクタとが嵌合された時に前記接地部と接触し導通する第２状態と、に切り替え可能に保持された接地接続端子と、を具備し、前記接地接続端子は、前記プラグコネクタと前記嵌合部との嵌合に連動して前記第１状態と前記第２状態とに切り替わり、前記第１状態の時に前記接地端子と前記接地部とは電気的に分離され、前記第２状態の時に前記接地端子と前記接地部とは、前記接地接続端子を介して導通する。
【手続補正２】
【補正対象書類名】特許請求の範囲
【補正対象項目名】全文
【補正方法】変更
【補正の内容】
【特許請求の範囲】
【請求項１】
接地されることで電磁シールドを形成するための接地端子を有するプラグコネクタを嵌合可能な嵌合部を有するレセプタクルコネクタであって、
電気的に接続されることで接続対象を接地する接地部と、
前記嵌合部に設けられ、前記嵌合部と前記プラグコネクタとが嵌合されていない時に前記接地部と電気的に分離される第１状態と、前記嵌合部と前記プラグコネクタとが嵌合された時に前記接地部と接触し導通する第２状態と、に切り替え可能に保持された接地接続端子と、
を具備し、
前記接地接続端子は、前記プラグコネクタと前記嵌合部との嵌合に連動して前記第１状態と前記第２状態とに切り替わり、
前記第１状態の時に前記接地端子と前記接地部とは電気的に分離され、前記第２状態の時に前記接地端子と前記接地部とは、前記接地接続端子を介して導通することを特徴とするレセプタクルコネクタ。
【請求項２】
前記接地接続端子における前記第１状態から前記第２状態への切り替わりは、前記プラグコネクタが挿入される時の押圧力により変形することによって生じることを特徴とする請求項１に記載のレセプタクルコネクタ。
【請求項３】
前記接地接続端子における前記第１状態から前記第２状態への切り替わりは、前記嵌合部が前記プラグコネクタと嵌合された状態において前記プラグコネクタの先端による押圧力によって変形することにより生じることを特徴とする請求項１に記載のレセプタクルコネクタ。
【国際調査報告】
2016203824.tif 000012
2016203824.tif 000013